(57)【要約】【課題】従来の器具監視装置ではガス使用量やガス遮断時の保安情報を扱うのみであり、ガス燃焼器具のメンテナンスが地球環境に及ぼす影響（例えば燃焼の効率）についての情報を知りたいと言う社会ニーズに対応できていなかった。【解決手段】流量測定器から受信したガス使用量および、前記ガス器具から受信した発生エネルギー量とからガス器具の効率を算出し、前記効率が所定の閾値よりも低下した場合にメンテナンスの警告を表示して、顧客が適正なメンテナンス時期を知ることが可能となる。【選択図】図１
2010216785.tif 000002
【特許請求の範囲】
【請求項１】
ガスの使用量を測定する流量測定器およびガス器具と通信により接続され、前記流量測定器から受信したガス使用量で、前記ガス器具から受信した発生エネルギー量を除してガス器具の効率を算出し、前記効率が所定の閾値よりも低下した場合にメンテナンスの警告を表示する器具監視装置。
【請求項２】
ガスの使用量を測定する流量測定器およびガス器具と通信により接続され、前記流量測定器から受信したガス使用量で、前記ガス器具から受信した発生エネルギー量を除してガス器具の効率を算出し、前記効率が前回使用時よりも所定の値以上良化した場合にメンテナンスの警告を停止する器具監視装置。
【請求項３】
ガスの使用量を測定する流量測定器およびガス器具と通信により接続され、前記流量測定器から受信したガス使用量で、前記ガス器具から受信した発生エネルギー量を除してガス器具の効率を算出し、前記効率が前回使用時よりも所定の値以上良化した場合にメンテナンスの実施と判定し、メンテナンス実施前の効率および使用時の効率よりメンテナンスによる効果を算出し、表示する器具監視装置。
【請求項４】
ガスの使用量を測定する流量測定器およびガス器具と通信により接続され、前記流量測定器から受信したガス使用量で、前記ガス器具から受信した発生エネルギー量を除してガス器具の効率を算出し、前記効率が器具メンテナンス後もある所定の値に満たない場合に買い替え情報を警告する器具監視装置。
【発明の詳細な説明】
【技術分野】
【０００１】
本発明は、例えば都市ガスやＬＰガス等を利用するガス燃焼器具等が、燃焼時に発生させるエネルギーの効率等を演算して求める器具監視装置に関する。
【背景技術】
【０００２】
従来この種の器具監視装置では、ガス燃焼器具が消費するガス使用量やガス遮断時の遮断理由を保安情報として監視するものがある（例えば、特許文献１参照）。
【特許文献１】特開２００１−２３６１１６号公報
【発明の開示】
【発明が解決しようとする課題】
【０００３】
しかしながら、従来の器具監視装置ではガス使用量やガス遮断時の保安情報を扱うのみであり、ガス燃焼器具の使用が地球環境に及ぼす影響（例えばエネルギー消費量）について配慮されておらず、地球環境へ関心が高まる中で前述の情報および効果を知りたいと言う社会ニーズに対応できない物になっていた。
【課題を解決するための手段】
【０００４】
本発明の器具監視装置は上記課題を解決するために、ガスメータおよびガス器具と通信を行いガス使用量およびガス器具のエネルギー発生量を受信する。このガス使用量とエネルギー発生量とから単位使用量あたりのエネルギー発生量である効率を算出し、前記効率が所定の閾値よりも低い場合に表示部にメンテナンスの警告を表示する。
【０００５】
また、記憶部を有し、使用のたびごとに演算した効率を記憶する。使用時に演算された効率が、記憶部に記憶された前回使用時の効率よりも所定の値以上変化した場合に表示部のメンテナンスの警告を停止する。
【０００６】
また、メンテナンス実施と判断した場合に前回の効率をメンテナンス前の効率として記憶し、メンテナンス実施前の効率および今回使用時の効率の差と、今回のガス使用量の積よりメンテナンスによるガス使用量低下の効果を算出し、表示をおこなう。
【０００７】
また、使用時に演算された効率が、記憶部に記憶された前回使用時の効率よりも所定の値以上変化した場合でも、今回の効率が第２の閾値に満たない場合に買い替え情報を表示するようにしたものである。これによって、顧客がガス器具をメンテナンスするタイミングを知ることが出来たり、メンテナンスした場合の効率の変化を求めることが可能となるので、地球環境へ関心が高まる中で前述の情報を知りたいと言う社会ニーズに対応できる。
【発明の効果】
【０００８】
本発明の器具監視装置は、顧客がガス器具をメンテナンスすることで向上したエネルギー発生効率や節約できたガス使用量や、メンテナンスの結果改善がなされない場合の買い替えの必要性を知ることが可能となるので、地球環境へ関心が高まる中で前述の情報を知りたいと言う社会ニーズに対応できる。
【発明を実施するための最良の形態】
【０００９】
第１の発明は、ガスメータおよびガス器具と通信を行いガス使用量およびガス器具のエネルギー発生量を受信する。このガス使用量とエネルギー発生量とから単位使用量あたりのエネルギー発生量である効率を算出し、前記効率が所定の閾値よりも低い場合に表示部
にメンテナンスの警告を表示することにより、顧客がガス器具を使用するうちにエネルギー発生効率の変化を検出し、適切なメンテナンス時期を警告することが可能となる。
【００１０】
第２の発明は、使用のたびごとに演算した効率を記憶する。使用時に演算された効率が、記憶部に記憶された前回使用時の効率よりも所定の値以上変化した場合に表示部のメンテナンスの警告を停止することにより、顧客が面倒な設定なくメンテナンスの終了を確認することが可能となる。
【００１１】
また、第３の発明は、メンテナンス実施と判断した場合に前回使用時の効率をメンテナンス実施前の効率として記憶し、メンテナンス実施前の効率および今回使用時の効率の差と、今回のガス使用量の積よりメンテナンスによるガス使用量低下の効果を算出し、表示をおこなうことにより、顧客がガス器具のメンテナンスを実施した場合のガス使用量に対する効果を知ることが可能となる。
【００１２】
第４の発明は、使用時に演算された効率が、記憶部に記憶された前回使用時の効率よりも所定の値以上変化した場合でも、今回の効率が第２の閾値に満たない場合に買い替え情報を表示するようにしたものである。これによって、顧客がガス器具を正しくメンテナンスしても改善の効果が得られないことを知ることが可能となるので、地球環境へ関心が高まる中で適切な買い替え情報を知りたいと言う社会ニーズに対応できる。
【００１３】
以下、本発明の実施の形態について、図面を参照しながら説明する。なお、この実施の形態によって本発明が限定されるものではない。また、本発明の実施形態はガス器具のエネルギー変換の効率について説明するが、本発明はエネルギー変換の効率に限らずＣＯ２、ＣＯ、ＮＯＸ、ＳＯＸなどガス燃焼により地球環境に影響を与える物質の発生効率を監視する器具監視装置であってもよい。
【００１４】
（実施の形態１）
図１は本発明の第１の実施の形態における器具監視装置の制御ブロック図を示すものである。
【００１５】
第１図において器具監視装置、２はガス器具、３はメータであり、有線または無線の通信路４にて接続されている。１１は通信部であり、ガス器具、メータ等からのデータを送受信する。１２は効率算出部であり通信部にて受信したガスの使用量およびガス器具のエネルギー発生量からガス器具のエネルギー発生効率を演算する。１３は判定部であり演算した値を所定の値と比較判定する判定部である。１４は前回値およびメンテナンス前の効率を記憶するデータ記憶部である。１５は各種の情報を表示する表示部である。
【００１６】
図２は本発明の第１の実施例の形態における器具監視装置の動作を説明する流れ図である。
【００１７】
次に動作、作用について説明すると、ガス器具２の使用を開始すると、通信部１１は通信路４を介してメータ３よりガス使用量を、ガス器具２より発生エネルギー量を受信する（ｓ１、ｓ２）。効率演算部１２は前記使用量で発生エネルギー量を除算しガス器具の単位量あたりのエネルギー発生効率（以下効率とする）を算出する（ｓ３）。判定部１３はこの効率を第一の閾値と比較し、閾値以下となる場合に（ｓ４，Ｎｏ）表示部１５にメンテナンス要求を表示させる（ｓ５）。また、データ記憶部１４に記憶されている前回の効率と比較し、その差が第２の閾値以上となる場合に（ｓ６、Ｙｅｓ）表示部１５のメンテナンス要求を非表示とする（ｓ７）。この場合、前回の効率をメンテナンス前の効率としてデータ記憶部１４に記憶する（ｓ８）。さらに、今回算出された効率が第３の閾値以下となる場合（ｓ９、Ｎｏ）、表示部１５に買い替え情報を表示させる（ｓ１０）。
【００１８】
また、今回算出された効果が、データ記憶部１４に記憶されているメンテナンス前の効果よりも高い場合、その差と使用量の積よりメンテナンスによるガス消費量の効果を算出し（ｓ１４）、表示部１５に表示する（ｓ１３）。最後にデータ記憶部１４に前回の効率として今回の効率を記憶する。
【００１９】
今、ガス器具が十分に手入れされた状態では、効率よく燃焼されているため、高い燃焼効率となり、第一の閾値を下回ることはない（ｓ４、Ｎｏ）。また、変化量も第２の閾値を超えることはない（ｓ６、Ｎｏ）。しかしながらガス器具を使用するうちに、例えばフィルターの目詰まり等により、十分な空気が送り込まれず、効率が低下し、第１の閾値よりも低くなった場合に（Ｓ４，Ｙｅｓ）表示部１５にメンテナンスの警告を表示する。これにより、顧客がガス器具を使用するうちにエネルギー発生効率の変化を検出し、適切なメンテナンス時期を警告することが可能となり、顧客の利便性が向上する。
【００２０】
次に、顧客がメンテナンス表示を確認し、適切なメンテナンスを実施すると、次使用時の効率はデータ記憶部１４に記憶された前回の効率よりも第２の閾値以上変化する（ｓ６、Ｙｅｓ）。これにより、表示部１５のメンテナンスの警告を停止することにより、顧客が面倒な設定なくメンテナンスの終了を確認することが可能となる。顧客の利便性が向上する。
【００２１】
また、この場合に前回使用時の効率をメンテナンス実施前の効率として記憶し、メンテナンス実施前の効率および今回使用時の効率の差と、今回のガス使用量の積よりメンテナンスによるガス使用量低下の効果を算出し（ｓ１２）、表示をおこなう（ｓ１３）ことにより、顧客がガス器具のメンテナンスを実施した場合のガス使用量に対する効果を知ることが可能となり、メンテナンスを実施した顧客にとって、達成感を得ることができる。また、同時にメンテナンスを行った場合の効果を具体的に表示することにより、メンテナンスの重要性を顧客に印象付ける効果もある。
【００２２】
ただし、器具自体の劣化もあり、永年使用した場合にはメンテナンスを実施して改善されても効果の薄い場合がある。使用時に演算された効率が、データ記憶部１４に記憶された前回使用時の効率よりも所定の値以上変化した場合（ｓ６、Ｙｅｓ）でも、今回の効率が第３の閾値に満たない場合（ｓ９、Ｎｏ）に表示部１５に買い替え情報を表示する（ｓ１０）。これによって、顧客がガス器具を正しくメンテナンスしても改善の効果が得られないことを知ることが可能となるので、地球環境へ関心が高まる中で適切な買い替え情報を知りたいと言う社会ニーズに対応できる。
【図面の簡単な説明】
【００２３】
【図１】本発明の実施例１の器具監視装置の制御ブロック図
【図２】本発明の実施例１の器具監視装置の制御フロー図
【符号の説明】
【００２４】
１  器具監視装置
２  ガス器具
３  メータ
４  通信路
１１  通信部
１２  効率演算部
１３  判定部
１４  データ記憶部
１５  表示部
【図１】
2010216785.tif 000003
【図２】
2010216785.tif 000004